(57)【要約】【課題】本発明は着信時の呼出音の鳴動回数を適宜設定して利用性良好な携帯電話装置を提供する。【解決手段】電話がかかってくると、ベル鳴動回数を加算して、加算した鳴動回数が予め設定された設定鳴動回数に達したかチェックする（ステップＳ１〜Ｓ３）。鳴動回数が設定鳴動回数に達していないと、ベルを鳴らして、通話ボタンが押されたかチェックし（ステップＳ４、Ｓ５）、通話ボタンが押されないと、ベルを鳴らして、上記処理を繰り返す。通話ボタンが押されないまま鳴動回数が設定鳴動回数に達すると、ベルを鳴らすことなく、通話ボタンが押されるまで、上記処理を繰り返す（ステップＳ２〜Ｓ６）。この間ＬＥＤを点灯・点滅させ、また、表示部に着信中であることを示す所定の表示を行って、着信中であることを携帯電話装置の利用者に通知する。その後、通話ボタンが押されると、通常の通話処理に移行する（ステップＳ７）。【選択図】図３
2006295989.tif 000002
【特許請求の範囲】
【請求項１】
呼出信号を検出する呼出信号検出手段と、所定の呼出音を発生出力する呼出音発生手段と、前記呼出音の出力回数を設定する設定手段と、前記呼出信号検出手段が前記呼出信号を検出すると、前記呼出音発生手段に前記設定手段で設定された出力回数だけ前記呼出音を発生出力させる制御手段と、を備えたことを特徴とする携帯電話装置。
【請求項２】
前記携帯電話装置は、音声以外の手段により前記呼出信号を検出している旨を報知する報知手段をさらに備え、前記制御手段は、少なくとも前記呼出音を前記設定回数だけ出力させた後、前記呼出信号検出手段が前記呼出信号を検出している間、前記報知手段を駆動させることを特徴とする請求項１記載の携帯電話装置。
【請求項３】
呼出信号を検出する呼出信号検出手段と、所定の呼出音を発生出力する呼出音発生手段と、前記呼出音の出力回数を設定する設定手段と、所定の応答メッセージを記憶する応答メッセージ記憶手段と、前記応答メッセージ記憶手段の前記応答メッセージを再生する再生手段と、オフフック動作を行うオフフック手段と、前記呼出信号検出手段が前記呼出信号を検出すると、前記呼出音発生手段に前記設定手段で設定された出力回数だけ前記呼出音を発生出力させた後、前記オフフック手段によりオフフックさせ、前記再生手段を駆動させて前記応答メッセージ記憶手段の前記応答メッセージを相手先に送出させる制御手段と、を備えたことを特徴とする携帯電話装置。
【請求項４】
前記携帯電話装置は、音声以外の手段により前記呼出信号を検出している旨を報知する報知手段をさらに備え、前記制御手段は、少なくとも前記応答メッセージを送出している間、前記報知手段を駆動させることを特徴とする請求項３記載の携帯電話装置。
【請求項５】
前記携帯電話装置は、相手先からの音声メッセージを記憶する音声メッセージ記憶手段をさらに備え、前記制御手段は、前記応答メッセージの送出を開始した後、前記呼出信号検出手段が前記呼出信号を検出してから所定時間経過すると、前記音声メッセージ記憶手段に相手先からの前記音声メッセージを記憶させる留守番電話処理を開始することを特徴とする請求項３または請求項４記載の携帯電話装置。
【発明の詳細な説明】
【技術分野】
【０００１】
本発明は、携帯電話装置に関し、詳細には、呼出信号を検出した際の呼出音の発生出力回数を設定可能な携帯電話装置に関する。
【背景技術】
【０００２】
携帯電話装置は、その普及に伴って、種々の場面で利用されるようになっているが、従来の携帯電話装置は、電話がかかってきた際、通話ボタンを押すまで呼出のベル音（呼出音）が鳴り続けるようになっていたため、携帯電話装置の利用者が携帯電話装置を鞄の中などに入れていて、直には取り出せない状態にあり、利用者が電車内、地下街あるいは道路上等にいる場合には、長い間呼出音が鳴り続け、周囲の人に迷惑をかけることが問題となっていた。
【０００３】
そこで、従来、携帯電話装置においては、電話がかかってきたとき、呼出音を発生させずに、携帯電話装置を振動させることにより携帯電話装置の利用者に電話がかかってきたことを通知する携帯電話装置が出現している。
【発明の開示】
【発明が解決しようとする課題】
【０００４】
しかしながら、このような従来の携帯電話装置にあっては、振動により電話がかかってきたことを利用者に通知するようになっていたため、携帯電話装置を鞄の中に入れている場合には、電話がかかってきたことを利用者が認識することができないだけでなく、利用者が携帯電話装置を身につけいる場合であっても、歩行中等のように体を動かしている場合には、振動では電話がかかってきたことを利用者が認識しにくく、携帯電話装置の利用性が悪いという問題があった。
【０００５】
そこで、請求項１記載の発明は、携帯電話装置の利用者にとって、呼出音は数回鳴ると、電話がかかってきたことを認識することができることに着目して、呼出信号を検出すると、予め利用者の設定した回数のみ呼出音を出力させることにより、周囲の人にかける迷惑を低減して、利用性の良好な携帯電話装置を提供することを目的としている。
【０００６】
請求項２記載の発明は、少なくとも呼出音を予め設定された設定回数だけ出力させた後、呼出音を停止させても、呼出信号を検出している間は、音声以外の手段により呼出信号を検出している旨を報知することにより、呼出中であることを携帯電話装置の利用者に認識させ、利用性のより一層良好な携帯電話装置を提供することを目的としている。
【０００７】
請求項３記載の発明は、呼出信号を検出すると、予め利用者が設定した回数のみ呼出音を出力させた後、オフフックして、所定の応答メッセージを相手先に送出することにより、周囲の人にかける迷惑を低減しつつ、携帯電話装置の利用者が携帯電話装置で通話を開始するまでの間、応答メッセージを相手先に聞かせて、回線は繋がったのに携帯電話装置の利用者との通話ができないことに対する相手先の不安を解消し、より一層利用性の良好な携帯電話装置を提供することを目的としている。
【０００８】
請求項４記載の発明は、少なくとも応答メッセージを送出している間は、音声以外の手段により応答メッセージを送出している旨を報知することにより、回線が接続されており、音声メッセージを送出中であることを携帯電話装置の利用者に認識させ、利用性のより一層良好な携帯電話装置を提供することを目的としている。
【０００９】
請求項５記載の発明は、呼出信号を検出すると、予め利用者が設定した回数のみ呼出音を出力させた後、オフフックして、所定の応答メッセージを相手先に送出し、所定時間音声メッセージを送出すると、相手先からの音声メッセージを記憶する留守番電話処理を行うことにより、長時間電話に出ることができない場合にも、相手先からの音声メッセージを記憶して、相手先に長時間待たせることなく、必要な用件を音声メッセージとして記憶し、より一層利用性の良好な携帯電話装置を提供することを目的としている。
【課題を解決するための手段】
【００１０】
請求項１記載の発明の携帯電話装置は、呼出信号を検出する呼出信号検出手段と、所定の呼出音を発生出力する呼出音発生手段と、前記呼出音の出力回数を設定する設定手段と、前記呼出信号検出手段が前記呼出信号を検出すると、前記呼出音発生手段に前記設定手段で設定された出力回数だけ前記呼出音を発生出力させる制御手段と、を備えることにより、上記目的を達成している。
【００１１】
ここで、設定手段は、例えば、携帯電話装置の操作部のテンキー等の所定のキー（ボタン）を利用することができ、呼出音を出力させる回数を数値で設定入力する。
【００１２】
上記構成によれば、呼出信号を検出すると、予め利用者の設定した回数のみ呼出音を出力させるので、周囲の人にかける迷惑を低減することができ、携帯電話装置の利用性を向上させることができる。
【００１３】
この場合、例えば、請求項２に記載するように、前記携帯電話装置は、音声以外の手段により前記呼出信号を検出している旨を報知する報知手段をさらに備え、前記制御手段は、少なくとも前記呼出音を前記設定回数だけ出力させた後、前記呼出信号検出手段が前記呼出信号を検出している間、前記報知手段を駆動させるものであってもよい。
【００１４】
ここで、報知手段は、ＬＥＤ（Light Emitting Diode）等のランプや携帯電話装置の表示部、あるいは、携帯電話装置を振動させる振動手段等である。
【００１５】
上記構成によれば、少なくとも呼出音を予め設定された設定回数だけ出力させた後、呼出音を停止させても、呼出信号を検出している間は、音声以外の手段により呼出信号を検出している旨を報知するので、呼出音が鳴り止んでも、呼出中であることを携帯電話装置の利用者に認識させることができ、携帯電話装置の利用性をより一層向上させることができる。
【００１６】
請求項３記載の発明の携帯電話装置は、呼出信号を検出する呼出信号検出手段と、所定の呼出音を発生出力する呼出音発生手段と、前記呼出音の出力回数を設定する設定手段と、所定の応答メッセージを記憶する応答メッセージ記憶手段と、前記応答メッセージ記憶手段の前記応答メッセージを再生する再生手段と、オフフック動作を行うオフフック手段と、前記呼出信号検出手段が前記呼出信号を検出すると、前記呼出音発生手段に前記設定手段で設定された出力回数だけ前記呼出音を発生出力させた後、前記オフフック手段によりオフフックさせ、前記再生手段を駆動させて前記応答メッセージ記憶手段の前記応答メッセージを相手先に送出させる制御手段と、を備えることにより、上記目的を達成している。
【００１７】
ここで、応答メッセージとしては、携帯電話装置に電話をかけてきた相手先に携帯電話装置の利用者がまもなく電話に出る旨を通知するものであり、具体的なメッセージの内容は、何等限定されるものではない。
【００１８】
上記構成によれば、呼出信号を検出すると、予め利用者が設定した回数のみ呼出音を出力させた後、オフフックして、所定の応答メッセージを相手先に送出するので、周囲の人にかける迷惑を低減させることができるとともに、携帯電話装置の利用者が携帯電話装置で通話を開始するまでの間、応答メッセージを相手先に聞かせて、回線は繋がったのに携帯電話装置の利用者との通話ができないことに対する相手先の不安を解消することができ、携帯電話装置の利用性をより一層向上させることができる。
【００１９】
この場合、例えば、請求項４に記載するように、前記携帯電話装置は、音声以外の手段により前記呼出信号を検出している旨を報知する報知手段をさらに備え、前記制御手段は、少なくとも前記応答メッセージを送出している間、前記報知手段を駆動させるものであってもよい。
【００２０】
上記構成によれば、少なくとも応答メッセージを送出している間は、音声以外の手段により応答メッセージを送出している旨を報知するので、呼出音が鳴り止んでも、回線が接続されており、応答メッセージを送出中であることを携帯電話装置の利用者に認識させることができ、携帯電話装置の利用性をより一層向上させることができる。
【００２１】
この場合、例えば、請求項５に記載するように、前記携帯電話装置は、相手先からの音声メッセージを記憶する音声メッセージ記憶手段をさらに備え、前記制御手段は、前記応答メッセージの送出を開始した後、前記呼出信号検出手段が前記呼出信号を検出してから所定時間経過すると、前記音声メッセージ記憶手段に相手先からの前記音声メッセージを記憶させる留守番電話処理を開始するものであってもよい。
【００２２】
上記構成によれば、呼出信号を検出すると、予め利用者が設定した回数のみ呼出音を出力させた後、オフフックして、所定の応答メッセージを相手先に送出し、所定時間音声メッセージを送出すると、相手先からの音声メッセージを記憶するので、長時間電話に出ることができない場合にも、相手先からの音声メッセージを記憶することができ、相手先に長時間待たせることなく、必要な用件を音声メッセージとして記憶することができる。その結果、携帯電話装置の利用性をより一層向上させることができる。
【発明の効果】
【００２３】
請求項１記載の発明の携帯電話装置によれば、呼出信号を検出すると、予め利用者の設定した回数のみ呼出音を出力させるので、周囲の人にかける迷惑を低減することができ、携帯電話装置の利用性を向上させることができる。
【００２４】
請求項２記載の発明の携帯電話装置によれば、少なくとも呼出音を予め設定された設定回数だけ出力させた後、呼出音を停止させても、呼出信号を検出している間は、音声以外の手段により呼出信号を検出している旨を報知するので、呼出音が鳴り止んでも、呼出中であることを携帯電話装置の利用者に認識させることができ、携帯電話装置の利用性をより一層向上させることができる。
【００２５】
請求項３記載の発明の携帯電話装置によれば、呼出信号を検出すると、予め利用者が設定した回数のみ呼出音を出力させた後、オフフックして、所定の応答メッセージを相手先に送出するので、周囲の人にかける迷惑を低減させることができるとともに、携帯電話装置の利用者が携帯電話装置で通話を開始するまでの間、応答メッセージを相手先に聞かせて、回線は繋がったのに携帯電話装置の利用者との通話ができないことに対する相手先の不安を解消することができ、携帯電話装置の利用性をより一層向上させることができる。
【００２６】
請求項４記載の発明の携帯電話装置によれば、少なくとも応答メッセージを送出している間は、音声以外の手段により応答メッセージを送出している旨を報知するので、呼出音が鳴り止んでも、回線が接続されており、応答メッセージを送出中であることを携帯電話装置の利用者に認識させることができ、携帯電話装置の利用性をより一層向上させることができる。
【００２７】
請求項５記載の発明の携帯電話装置によれば、呼出信号を検出すると、予め利用者が設定した回数のみ呼出音を出力させた後、オフフックして、所定の応答メッセージを相手先に送出し、所定時間音声メッセージを送出すると、相手先からの音声メッセージを記憶するので、長時間電話に出ることができない場合にも、相手先からの音声メッセージを記憶することができ、相手先に長時間待たせることなく、必要な用件を音声メッセージとして記憶することができる。その結果、携帯電話装置の利用性をより一層向上させることができる。
【発明を実施するための最良の形態】
【００２８】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２９】
図１〜図４は、本発明の携帯電話装置の第１の実施の形態を示す図であり、本実施の形態は、呼出音を予め設定された回数だけ鳴動させ、また、呼出音の鳴動を停止させても、着信中であることを音声以外で通知するもので、請求項１及び請求項２に対応するものである。
【００３０】
図１は、本発明の携帯電話装置の第１の実施の形態を適用した携帯電話装置１の正面斜視図である。図１において、携帯電話装置１は、本体ケース２に表示部３、アンテナ４、図示しない操作部及びＬＥＤ（Light Emitting Diode）等が設けられており、携帯電話装置１は、図示しないが、呼出音（ベル音）を拡声出力するリンガー、通話を行うためのマイクとスピーカ等を備えている。
【００３１】
表示部３は、例えば、ＬＣＤ（Liquid Crystal Display）等で形成されており、操作部で入力操作された操作内容や携帯電話装置１から携帯電話装置１の利用者に通知する各種情報、特に、後述する鳴動回数制御処理、自動応答制御処理及び留守番電話制御処理における各種情報、例えば、着信中であることを示す着信中情報、応答メッセージを送出中であることを示す応答中情報等を表示出力する。操作部は、例えば、電話番号等を入力するテンキー及びオンフックやオフフックを行う通話キー等の各種キーが設けられており、特に、呼出音の鳴動回数を設定や後述するＲＡＭ１７（図２参照）に記憶された相手先からの音声メッセージの再生指示操作等を行うのに使用される。アンテナ４は、所定の周波数帯の制御信号及び音声信号を含む送信信号及び受信信号を送・受信する。
【００３２】
携帯電話装置１は、図２に示すように回路構成されており、ＣＰＵ（CentralProcessing Unit ）１０、無線部回路１１、電話部回路１２、表示部回路１３、キー制御部回路１４、ＲＯＭ（Read Only Memory）１５、書換可能ＲＯＭ１６、ＲＡＭ（Random Access Memory）１７及び鳴音／発光部回路１８等を備えている。
【００３３】
無線部回路１１は、ＰＬＬシンセサイザー、送・受信回路及びモデム等を備え、携帯電話装置１で使用する周波数帯の電波の送受信を行う。すなわち、ＰＬＬシンセサイザーは、ＣＰＵ１０により設定される周波数により局部発振して、送・受信回路での周波数変換のための局部発振信号を送・受信回路に出力する。送・受信回路は、アンテナ４で受信した受信信号を、ＰＬＬシンセサイザーから入力される局部発振信号と混合することにより周波数変換して、モデムに出力し、また、モデムから入力される変調波を周波数変換して、アンテナ４から送信する。モデムは、送・受信信号の変復調処理を行う。
【００３４】
電話部回路１２は、例えば、ＴＤＭＡ（Time Division Multiple Access）、スピーチコーディック及びＰＣＭ（Pulse Code Modulation）等を備え、音声通話を可能としている。すなわち、ＴＤＭＡは、無線部回路のモデムから送られてくるデータ（フレーム）から所定タイミングでスロットを取り出して、盗聴防止用のスクランブル等を解除した後、このスロットのフォーマットから構成データを取り出し、この取り出した構成データのうち、制御データをＣＰＵ１０に送り、音声データをスピーチコーディックに転送する。また、ＴＤＭＡは、スピーチコーディックから転送されてくる音声データに制御データを付加してスロットを作成し、スクランブル等をかけた後、所定タイミングでスロットをフレームに挿入して、モデムに出力する。スピーチコーディックは、ディジタル音声データの圧縮及び伸長処理を行うものであり、具体的には、適応予測と適応量子化を用いるＡＤＰＣＭ方式によりディジタル音声データの符号化処理及び復号化処理を行う。また、スピーチコーディックは、その送信側で、ＰＣＭから入力されるＰＣＭ音声信号をＡＤＰＣＭ音声データに符号化することにより圧縮し、ＴＤＭＡに出力する。ＰＣＭは、スピーチコーディックから送られてくるＰＣＭ音声信号をアナログ音声信号に変換して、アンプを介してスピーカから拡声出力させ、また、マイクから入力されたアナログ音声信号をディジタル音声信号に変換し、ＰＣＭ音声信号としてスピーチコーディックに出力する。
【００３５】
表示部回路１３は、ＣＰＵ１０から送られてくる表示データに基づいて表示部３を駆動して、表示部３に表示データの表示を行う。キー制御部回路１４は、ＣＰＵ１０の制御下で操作部のキー操作を走査し、キー操作内容を取得して、ＣＰＵ１０に出力する。
【００３６】
ＲＯＭ１５は、携帯電話装置１の基本プログラム、後述する鳴動回数制御処理、自動応答制御処理及び留守番電話処理等の各種プログラム及びこれら各プログラムを実行するのに必要なシステムデータ等を格納する。書換可能ＲＯＭ１６は、電源がオフされているときにもその記憶内容を保持し、携帯電話装置１の利用者が設定した各種データ、例えば、短縮電話番号や後述する自動応答制御処理において相手先に送出する応答メッセージ等を記憶するとともに、後述する鳴動回数制御処理、自動応答制御処理及び留守番電話制御処理で使用する呼出音の設定鳴動回数や留守番電話動作に入るまでの設定時間等を記憶する。ＲＡＭ１７は、携帯電話装置１の動作に必要な各種データ、特に、留守番電話制御処理において相手先から送られてきた音声メッセージを記憶し、また、リンガーの鳴動回数をカウントするカウンタとして使用されする。なお、応答メッセージは、ＲＡＭ１７に記憶するようにしてもよいし、音声メッセージは、ＲＯＭ１６に記憶するようにしてもよい。
【００３７】
鳴動／発光部回路１８は、ＣＰＵ１０の制御下で動作し、上記リンガーの鳴動及びＬＥＤの発光を行う。
【００３８】
ＣＰＵ１０は、ＲＯＭ１５内のプログラムに基づいてＲＡＭ１７をワークメモリとして使用して携帯電話装置１の各部を制御し、携帯電話装置１としての動作を行うとともに、後述する鳴動回数制御処理、自動応答制御処理及び留守番電話機能制御処理を行う。
【００３９】
次に、作用を説明する。携帯電話装置１は、呼出信号を検出するか、予め設定された鳴動回数だけ呼出音を鳴らし、また、電話がかかっていることを音声以外の手段で報知するところにその特徴がある。以下、この鳴動回数制御処理について、図３及び図４に基づいて説明する。
【００４０】
ＣＰＵ１０は、図３に示すように、待機中、呼出信号を検出、すなわち、電話がかかってきたかチェックし（ステップＳ１）、電話がかかってくると、ベルが鳴った回数（リンガーを鳴動させた回数、以下、鳴動回数という。）をカウントするカウンタを、「１」だけ加算して（ステップＳ２）、加算した鳴動回数が書換可能ＲＯＭ１６に記憶されている設定鳴動回数に達したかチェックする（ステップＳ３）。
【００４１】
ステップＳ３で、鳴動回数が設定鳴動回数に達していないと、ＣＰＵ１０は、リンガーを鳴動させ（ベルを鳴らし）（ステップＳ４）、通話キー（通話ボタン）が押されたかチェックする（ステップＳ５）。
【００４２】
通話ボタンが押されないときには、ＣＰＵ１０は、ステップＳ２に戻って、鳴動回数を「１」だけ加算して、鳴動回数が設定鳴動回数に達しているかチェックし、設定鳴動回数に達していないと、リンガーを鳴動させ（ステップＳ２〜ステップＳ３）、ステップＳ５で、通話ボタンが押されていないと、鳴動回数が設定鳴動回数に達するか、通話ボタンが押されるまで、上記処理を繰り返す。
【００４３】
ステップＳ３で、通話ボタンが押されないまま、鳴動回数が設定鳴動回数に達すると、ＣＰＵ１０は、リンガーを鳴動させることなく（ベルを鳴らすことなく）（ステップＳ６）、通話ボタンが押されたかチェックし（ステップＳ５）、以降、通話ボタンが押されるか、相手先が回線を切断するまで、すなわち、相手先がオンフックして、呼出信号が停止するまで、リンガーを鳴動させることなく、上記処理を繰り返す（ステップＳ２、Ｓ３、Ｓ６、Ｓ５）。なお、ＣＰＵ１０は、少なくともベルを鳴らさないでいる間、鳴音／発光部１８を介してＬＥＤを点灯あるいは点滅させ、着信中であることを携帯電話装置１の利用者に通知するとともに、図１に示したように、表示部回路１３により表示部３に着信中であることを示す所定の表示、例えば、「チャクシンチュウ」あるいは「着信中」を表示出力させる。なお、このＬＥＤの点灯や点滅あるいは表示部３への着信中である旨の表示は、電話がかかってきたときから行うようにしてもよい。
【００４４】
ステップＳ５で、通話ボタンが押されると、ＣＰＵ１０は、通常の通話処理に移行し、鳴動回数制御処理を終了する（ステップＳ７）。
【００４５】
したがって、図４に示すように、電話がかかってくると、携帯電話装置１の利用者が設定した設定鳴動回数、例えば、２回だけベルを鳴らせ、設定鳴動回数だけベルを鳴らすと、その後はベルを停止させて、通話ボタンが押されると、通常の通話（会話）処理を行うことができる。
【００４６】
このように、本実施の形態によれば、呼出信号を検出すると、予め利用者の設定した設定鳴動回数のみ呼出音を出力させ、その後は、呼出音を停止させることができ、呼出音により携帯電話装置１の利用者は、自らが設定した鳴動回数だけ発生される呼出音により電話がかかってきたことを認識することができるとともに、携帯電話装置１を取り出して通話ボタンを押すまでの間、呼出音が鳴って周囲の人にかける迷惑を低減することができる。その結果、携帯電話装置１の利用性を向上させることができる。
【００４７】
また、少なくとも、呼出音が停止している着信中は、ＬＥＤの点灯や点滅あるいは表示部３への着信中の表示を行うので、携帯電話装置１の利用者は、呼出音が鳴り止んでも、着信中であることを認識することができ、携帯電話装置１の利用性をより一層向上させることができる。
【００４８】
図５及び図６は、本発明の携帯電話装置の第２の実施の形態を示す図であり、本実施の形態は、設定鳴動回数だけ呼出音を鳴動させると、鳴動を停止させ、応答メッセージを送信するもので、請求項３及び請求項４に対応するものである。なお、本実施の形態は、上記第１の実施の形態と同様の携帯電話装置に適用したものであり、本実施の形態の説明においては、図１及び図２で用いた符号をそのまま用い、また、図３と同様の処理ステップには、同一のステップナンバーを付して説明する。
【００４９】
携帯電話装置１は、そのＣＰＵ１０が、図５に示すように、待機中、呼出信号を検出するかチェックし（ステップＳ１）、電話がかかってくると、ベルが鳴った回数（鳴動回数）をカウントするカウンタを「１」だけ加算して（ステップＳ２）、加算した鳴動回数がＲＯＭ１６に記憶されている設定鳴動回数に達したかチェックする（ステップＳ３）。ステップＳ３で、鳴動回数が設定鳴動回数に達していないと、鳴音／発光部回路１８によりリンガー（ベル）を鳴動させ（ステップＳ４）、通話ボタンが押されたかチェックする（ステップＳ５）。
【００５０】
通話ボタンが押されないときには、ＣＰＵ１０は、ステップＳ２に戻って、鳴動回数を「１」だけ加算して、鳴動回数が設定鳴動回数に達しているかチェックし、設定鳴動回数に達していないと、リンガーを鳴動させ（ステップＳ２〜ステップＳ３）、ステップＳ５で、通話ボタンが押されていないと、鳴動回数が設定鳴動回数に達するか、通話ボタンが押されるまで、上記処理を繰り返す。
【００５１】
ステップＳ３で、通話ボタンが押されないまま、鳴動回数が設定鳴動回数に達すると、ＣＰＵ１０は、リンガーを鳴動させることなく（ベルを鳴らすことなく）（ステップＳ６）、書換可能ＲＯＭ１６から応答メッセージを読み出し、無線部回路１１によりオフフックさせて、無線部回路１１を介して相手先に応答メッセージを送出する（ステップＳ１１）。そして、この応答メッセージは、例えば、「ただいま、電話を取り出しております。」、「しばらくお待ちください。」等であり、携帯電話装置１の利用者が通話ボタンを押して通話可能な状態になるまでの間、相手先に与える不安感を取り除くのに必要な内容である。また、ＣＰＵ１０は、少なくとも応答メッセージを送出している間、ＬＥＤを点灯あるいは点滅させたり、表示部３に着信があり、応答メッセージを送出していることを利用者に通知するためのその旨の表示を行う。この表示内容としては、例えば、「着信中」あるいは「応答メッセージ送出中」等である。
【００５２】
その後、ＣＰＵ１０は、通話ボタンが押されたかチェックし（ステップＳ１２）、通話ボタンが押されていないと、ステップＳ１１に戻って、応答メッセージの送出を継続し（ステップＳ１１）、この応答メッセージの送出を通話ボタンが押されるか、相手先が回線を切断するまで、呼出音を発生出力させることなく、相手先に応答メッセージを送出する（ステップＳ１１、Ｓ１２）。
【００５３】
ステップＳ１２で、通話ボタンが押されると、ＣＰＵ１０は、通常の通話処理を行い、鳴動回数制御処理を終了する（ステップＳ７）。
【００５４】
また、上記ステップＳ５で、ベルの鳴動回数が設定鳴動回数に達する前に、通話ボタンが押されると、そのまま通常の通話処理を行う（ステップＳ７）。
【００５５】
したがって、図６に示すように、電話がかかってくると、携帯電話装置１の利用者が設定した設定鳴動回数、例えば、２回だけベルを鳴らせ、設定鳴動回数だけベルを鳴らすと、その後はベルを停止させて、相手先に応答メッセージを送出する。そして、通話ボタンが押されると、通常の通話（会話）処理を行うことができる。
【００５６】
このように、本実施の形態によれば、呼出信号を検出すると、予め利用者の設定した設定鳴動回数のみ呼出音を出力させ、その後は、呼出音を停止させるとともに、相手先に応答メッセージを送出することができ、呼出音により携帯電話装置１の利用者は、自らが設定した鳴動回数だけ発生される呼出音により電話がかかってきたことを認識することができるとともに、携帯電話装置１を取り出して通話ボタンを押すまでの間、呼出音が鳴って周囲の人にかける迷惑を低減することができ、また、相手先には、携帯電話装置１の利用者がもうすぐ電話に出ることを応答メッセージにより通知することができる。その結果、携帯電話装置１の利用性をより一層向上させることができる。
【００５７】
また、少なくとも、呼出音が停止している着信中は、ＬＥＤの点灯や点滅あるいは表示部３への着信中の表示を行うので、携帯電話装置１の利用者は、呼出音が鳴り止んでも、着信中であることを認識することができ、携帯電話装置１の利用性をより一層向上させることができる。
【００５８】
図７及び図８は、本発明の携帯電話装置の第３の実施の形態を示す図であり、本実施の形態は、設定鳴動回数だけ呼出音を鳴動させると、鳴動を停止させ、所定時間応答メッセージを送信した後、留守番録音を行うもので、請求項５に対応するものである。なお、本実施の形態は、上記第１の実施の形態と同様の携帯電話装置に適用したものであり、本実施の形態の説明においては、図１及び図２で用いた符号をそのまま用い、また、図３と同様の処理ステップには、同一のステップナンバーを付して説明する。
【００５９】
携帯電話装置１は、そのＣＰＵ１０が、図７に示すように、待機中、呼出信号を検出するかチェックし（ステップＳ１）、電話がかかってくると、ベルが鳴った回数（鳴動回数）をカウントするカウンタを「１」だけ加算して（ステップＳ２）、加算した鳴動回数がＲＯＭ１６に記憶されている設定鳴動回数に達したかチェックする（ステップＳ３）。ステップＳ３で、鳴動回数が設定鳴動回数に達していないと、鳴音／発光部回路１８によりリンガー（ベル）を鳴動させ（ステップＳ４）、通話ボタンが押されたかチェックする（ステップＳ５）。
【００６０】
通話ボタンが押されないときには、ＣＰＵ１０は、ステップＳ２に戻って、鳴動回数を「１」だけ加算して、鳴動回数が設定鳴動回数に達しているかチェックし、設定鳴動回数に達していないと、リンガーを鳴動させ（ステップＳ２〜ステップＳ３）、ステップＳ５で、通話ボタンが押されていないと、鳴動回数が設定鳴動回数に達するか、通話ボタンが押されるまで、上記処理を繰り返す。
【００６１】
ステップＳ３で、通話ボタンが押されないまま、鳴動回数が設定鳴動回数に達すると、ＣＰＵ１０は、リンガーを鳴動させることなく（ステップＳ６）、書換可能ＲＯＭ１６から応答メッセージを読み出して、無線部回路１１にオフフックさせて、無線部回路１１を介して相手先に応答メッセージを送出する（ステップＳ２１）。そして、この応答メッセージは、上記第２の実施の形態と同様に、例えば、「ただいま、電話を取り出しております。」、「しばらくお待ちください。」等であり、携帯電話装置１の利用者が通話ボタンを押して通話可能な状態になるまでの間、相手先に与える不安感を取り除くのに必要な内容である。また、ＣＰＵ１０は、少なくとも応答メッセージを送出している間、ＬＥＤを点灯あるいは点滅させたり、表示部３に着信があり、応答メッセージを送出していることを利用者に通知するためのその旨の表示を行う。この表示内容としては、例えば、上記同様に、「着信中」あるいは「応答メッセージ送出中」等である。
【００６２】
その後、ＣＰＵ１０は、通話ボタンが押されたかチェックし（ステップＳ２２）、通話ボタンが押されていないと、着信信号を検出してから予め留守番機能移行時間として設定されて書換可能ＲＯＭ１６に格納されている設定時間が経過したかチェックし（ステップＳ２３）、設定時間が経過していないときには、ステップＳ２１に戻って、応答メッセージの送出を継続し（ステップＳ２１）、通話ボタンが押されるか、設定時間が経過するか、あるいは、相手先が回線を切断するまで、呼出音を発生出力させることなく、相手先に応答メッセージを送出する（ステップＳ２１〜Ｓ２３）。
【００６３】
ステップＳ２２で、通話ボタンが押されると、ＣＰＵ１０は、通常の通話処理を行い、留守番電話制御処理を終了する（ステップＳ７）。
【００６４】
また、ステップＳ２２で、通話ボタンが押されることなく、ステップＳ２３で、設定時間が経過すると、ＣＰＵ１０は、応答メッセージの送出を停止するとともに、留守番電話機能に移行して、相手先からの音声メッセージを書換可能ＲＯＭ１６あるいはＲＡＭ１７に記憶する（ステップＳ２４）。なお、留守番電話機能に移行するに先立って、留守番録音に移行する旨の応答メッセージを書換可能ＲＯＭ１６から読み出して、送出するようにしてもよい。
【００６５】
さらに、ステップＳ５で、呼出音を設定回数鳴動させる前に、通話ボタンが押されると、ＣＰＵ１０は、オフフックして、通常の通話処理に移行して、留守番電話制御処理を終了する（ステップＳ７）。
【００６６】
したがって、図８に示すように、電話がかかってくると、携帯電話装置１の利用者が設定した設定鳴動回数、例えば、２回だけベルを鳴動させ、設定鳴動回数だけベルを鳴らすと、その後はベルを停止させて、相手先に応答メッセージを送出する。さらに、応答メッセージを送出しつつ、着信があってから予め設定された設定時間、例えば、１分経過すると、留守番電話機能に移行して、相手先からの音声メッセージを録音する。
【００６７】
このように、本実施の形態によれば、呼出信号を検出すると、予め利用者の設定した設定鳴動回数のみ呼出音を出力させ、その後は、呼出音を停止させるとともに、相手先に応答メッセージを送出することができ、呼出音により携帯電話装置１の利用者は、自らが設定した鳴動回数だけ発生される呼出音により電話がかかってきたことを認識することができるとともに、携帯電話装置１を取り出して通話ボタンを押すまでの間、呼出音が鳴って、周囲の人にかける迷惑を低減することができ、また、相手先には、携帯電話装置１の利用者がもうすぐ電話に出ることを応答メッセージにより通知することができる。また、応答メッセージを送出して、着信があってから予め設定された設定時間の間に通話ボタンが押されないと、留守番電話機能に移行して、相手先からの音声メッセージを録音することができる。その結果、携帯電話装置１の利用性をより一層向上させることができる。
【００６８】
また、少なくとも、呼出音が停止している着信中は、ＬＥＤの点灯や点滅あるいは表示部３への着信中の表示を行うので、携帯電話装置１の利用者は、呼出音が鳴り止んでも、着信中であることを認識することができ、携帯電話装置１の利用性をより一層向上させることができる。
【００６９】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７０】
例えば、上記各実施の形態においては、着信中や応答メッセージを携帯電話装置１の利用者に通知するのに、ＬＥＤを点灯あるいは点滅させたり、表示部３にその旨の表示を行っているが、これらに限るものではなく、携帯電話装置１を振動させてもよいし、上記ＬＥＤの点灯等や表示部３への表示と振動を併用してもよい。
【００７１】
また、上記各実施の形態においては、携帯電話装置１について述べたが、ページャ等にも同様に適用することができる。
【図面の簡単な説明】
【００７２】
【図１】本発明の携帯電話装置の第１の実施の形態を適用した携帯電話装置の正面斜視図。
【図２】図１の携帯電話装置の回路ブロック図。
【図３】図１の携帯電話装置による鳴動回数制御処理を示すフローチャート。
【図４】図３の鳴動回数制御処理による携帯電話装置の動作タイミング図。
【図５】本発明の第２の実施の形態の携帯電話装置による自動応答制御処理を示すフローチャート。
【図６】図５の自動応答制御処理による携帯電話装置の動作タイミング図。
【図７】本発明の第３の実施の形態の携帯電話装置による留守番電話制御処理を示すフローチャート。
【図８】図７の留守番電話制御処理による携帯電話装置の動作タイミング図。
【符号の説明】
【００７３】
１  携帯電話装置
２  ケース
３  表示部
４  アンテナ
１０  ＣＰＵ
１１  無線部回路
１２  電話部回路
１３  表示部回路
１４  キー制御部回路
１５  ＲＯＭ
１６  書換可能ＲＯＭ
１７  ＲＡＭ
１８  鳴音／発光部回路
【図１】
2006295989.tif 000003
【図２】
2006295989.tif 000004
【図３】
2006295989.tif 000005
【図４】
2006295989.tif 000006
【図５】
2006295989.tif 000007
【図６】
2006295989.tif 000008
【図７】
2006295989.tif 000009
【図８】
2006295989.tif 000010